(57)【要約】      （修正有）【課題】撮影時に被験者をリラックスさせることができる放射線画像撮影装置を提供する。【解決手段】撮影面で被験者の乳房と当接する撮影台と、前記撮影面に放射線を照射する放射線照射部と、撮影面に照射され、前記乳房を透過した放射線により表わされる放射線画像を撮影する撮影部と、前記乳房を前記撮影台との間で圧迫するための圧迫板と、撮影を行う場合に、前記乳房が目標圧迫値で圧迫されるように前記圧迫板を制御すると共に、前記目標圧迫値で圧迫された前記乳房に放射線を放射するように前記放射線照射部を制御する制御部と、前記圧迫板によって圧迫されている前記乳房の圧迫値を検出する（１０６）検出部と、前記目標圧迫値に対する前記検出部によって検出された圧迫値の割合を報知部により報知するように制御する（１１０）報知制御部と、を備えている【選択図】図５
2011206434.tif 000002
【特許請求の範囲】
【請求項１】
撮影面で被験者の乳房と当接する撮影台と、
前記撮影面に放射線を照射する放射線照射部と、
撮影面に照射され、前記乳房を透過した放射線により表わされる放射線画像を撮影する撮影部と、
前記乳房を前記撮影台との間で圧迫するための圧迫板と、
撮影を行う場合に、前記乳房が目標圧迫値で圧迫されるように前記圧迫板を制御すると共に、前記目標圧迫値で圧迫された前記乳房に放射線を放射するように前記放射線照射部を制御する制御部と、
前記圧迫板によって圧迫されている前記乳房の圧迫値を検出する検出部と、
前記目標圧迫値に対する前記検出部によって検出された圧迫値の割合を報知部により報知するように制御する報知制御部と、
を備えた放射線画像撮影装置。
【請求項２】
前記報知部は、前記割合を所定時間間隔で報知する請求項１記載の放射線画像撮影装置。
【請求項３】
前記報知部は、前記割合を表示するか、または前記割合を音声で通知する請求項１または請求項２記載の放射線画像撮影装置。
【請求項４】
前記報知部は、自身が位置する室内の壁面に前記割合を表示する請求項１〜３の何れか１項記載の放射線画像撮影装置。
【請求項５】
前記報知部は、前記割合を示すプログレスバーを表示する請求項１〜４の何れか１項記載の放射線画像撮影装置。
【請求項６】
前記目標圧迫値を、指定手段によって指定された値、予め記憶手段に記憶された前記被験者の過去の前記撮影で目標圧迫値として用いられた値、または前記圧迫板による前記乳房の圧迫値の変化に対する前記乳房の厚みの変化に基づいて予め定められる予測値とした請求項１〜５の何れか１項記載の放射線画像撮影装置。
【発明の詳細な説明】
【技術分野】
【０００１】
本発明は、放射線画像撮像装置に係り、特に被験者の対象部位（例えば乳房）を圧迫させながら撮影を行う放射線画像撮影装置に関する。
【背景技術】
【０００２】
従来、医療診断を目的とした放射線撮影を行なう放射線画像撮影装置（撮像装置）が知られている。この種の放射線画像撮影装置として、例えば、乳がんの早期発見などを目的として被験者の乳房を圧迫板で圧迫させて撮影（撮像）するマンモグラフィが挙げられる（例えば、特許文献１及び特許文献２参照）。
【０００３】
特許文献１に記載の乳房Ｘ線撮影装置では、撮影台上に載せられた乳房を圧迫部材によって徐々に圧迫していく。そして、乳房に加えられた押圧力が予め設定された適正押圧力に達したことがセンサによって検出された場合には、押圧部材が青色に発光するとともに、乳房に加えられた押圧力が上記適正押圧力を超えた場合には、押圧部材が赤色に発光する。
【０００４】
また、特許文献２に記載の乳房撮影検査用Ｘ線診断装置では、Ｘ線の現在の曝射期間が全体の曝射期間と比較されて全体の曝射期間に対する現在の曝射時間の割合がプログレスバーによって表示される。
【先行技術文献】
【特許文献】
【０００５】
【特許文献１】特開２００８−３６２７９号公報
【特許文献２】特開２００９−８９７３９号公報
【発明の概要】
【発明が解決しようとする課題】
【０００６】
ここで、被験者の乳房を圧迫させながら撮影を行う場合には、被験者の緊張をといてリラックスさせることが望ましい。これは、被験者が緊張していると被験者の筋肉が固くなり乳房を圧迫させる際に被験者が感じる痛みが増すからである。被験者が緊張する原因としては、例えば、被験者が感じている痛みがこれからどの程度まで増すのか分からないことなどが考えられる。すなわち、被験者は、目標圧迫値となる圧迫力に対する現在乳房に圧迫されている圧迫力の割合が分からないため、これからどの程度まで圧迫力が大きくなるのか分からず、緊張してしまうことが考えられる。
【０００７】
しかしながら、上記特許文献１及び上記特許文献２の技術では、目標圧迫値となる圧迫力に対する現在乳房に圧迫されている圧迫力の割合が分からず、被験者をリラックスさせる効果が低い。なお、上記特許文献１の技術では、例えば、撮影時に乳房Ｘ線撮影装置に対して被験者が顔を横に向けてしまうと圧迫部材の色を認識できない。
【０００８】
本発明は、上記事象を鑑みて成されたものであり、撮影時に被験者をリラックスさせることができる放射線画像撮影装置を提供することを目的とする。
【課題を解決するための手段】
【０００９】
上記目的を達成するために、請求項１に記載の発明の放射線画像撮影装置は、撮影面で被験者の乳房と当接する撮影台と、前記撮影面に放射線を照射する放射線照射部と、撮影面に照射され、前記乳房を透過した放射線により表わされる放射線画像を撮影する撮影部と、前記乳房を前記撮影台との間で圧迫するための圧迫板と、撮影を行う場合に、前記乳房が目標圧迫値で圧迫されるように前記圧迫板を制御すると共に、前記目標圧迫値で圧迫された前記乳房に放射線を放射するように前記放射線照射部を制御する制御部と、前記圧迫板によって圧迫されている前記乳房の圧迫値を検出する検出部と、前記目標圧迫値に対する前記検出部によって検出された圧迫値の割合を報知部により報知するように制御する報知制御部と、を備えている。
【００１０】
請求項１に記載の発明によれば、目標圧迫値に対する検出部によって検出された圧迫値の割合が報知部により報知されるので、被験者は、目標圧迫値となる圧迫力に対する現在乳房に圧迫されている圧迫力の割合が分かり、必要以上に緊張しない。従って、本発明によれば、撮影時に被験者をリラックスさせることができる。
【００１１】
また、本発明は、請求項２記載の発明のように、前記報知部が、前記割合を所定時間間隔で報知するようにしてもよい。これにより、被験者は、これからどの程度まで圧迫力が大きくなるのか所定時間間隔で認識することができる。
【００１２】
また、本発明は、請求項３記載の発明のように、前記報知部が、前記割合を表示するか、または前記割合を音声で通知するようにしてもよい。
【００１３】
また、本発明は、請求項４記載の発明のように、前記報知部が、自身が位置する室内の壁面に前記割合を表示するようにしてもよい。これにより、例えば、放射線画像撮影装置が位置している室内の壁面であって、放射線画像撮影装置に対して被験者が顔を横に向けた場合に視認可能な壁面に上記割合が表示されると、当該顔を横に向けた被験者であっても上記割合を認識することができる。
【００１４】
また、本発明は、請求項５記載の発明のように、前記報知部が、前記割合を示すプログレスバーを表示するようにしてもよい。
【００１５】
また、本発明は、請求項６記載の発明のように、前記目標圧迫値を、指定手段によって指定された値、予め記憶手段に記憶された前記被験者の過去の前記撮影で目標圧迫値として用いられた値、または前記圧迫板による前記乳房の圧迫値の変化に対する前記乳房の厚みの変化に基づいて予め定められる予測値としてもよい。
【発明の効果】
【００１６】
本発明によれば、撮影時に被験者をリラックスさせることができる、という効果が得られる。
【図面の簡単な説明】
【００１７】
【図１】本実施の形態に係る放射線画像撮影装置の構成を示す平面図である。
【図２】本実施の形態に係る放射線画像撮影装置のＣＣ撮影時における構成を示す斜視図である。
【図３】本実施の形態に係る放射線画像撮影装置のＭＬＯ撮影時における構成を示す斜視図である。
【図４】本実施の形態に係る放射線画像撮影システムの構成を示すブロック図である。
【図５】本実施の形態に係る割合報知制御処理プログラムの割合報知制御処理の流れを示すフローチャートである。
【図６】報知される割合の一例である。
【図７】目標圧迫値を導出する際の他の変形例を説明するための図である。
【発明を実施するための形態】
【００１８】
以下、各図面を参照して本発明を、ＭＬＯ撮影及びＣＣ撮影が可能な放射線画像撮影装置（撮像装置）に適用した一例について説明する。
【００１９】
図１〜図３に示すように、本実施の形態に係る放射線画像撮影装置１０は、被験者Ｗが立った立位状態において、その被験者Ｗの乳房Ｎを放射線（例えば、Ｘ線）により撮影する装置であり、例えば、マンモグラフィと称される。なお、以下では、撮影の際に放射線画像撮影装置１０に被験者Ｗが対面した場合の被験者Ｗに近い手前側を放射線画像撮影装置１０の装置前方側とし、放射線画像撮影装置１０に被験者Ｗが対面した場合の被験者Ｗから離れた奥側を放射線画像撮影装置１０の装置後方側とし、放射線画像撮影装置１０に被験者Ｗが対面した場合の被験者Ｗの左右方向を放射線画像撮影装置１０の装置左右方向として説明する（図１〜３の各矢印参照）。
【００２０】
また、放射線画像撮影装置１０の撮影対象は、乳房Ｎに限られず、例えば、身体の他の部位、物体であっても良い。また、放射線画像撮影装置１０としては、被験者Ｗがいす等に座った座位状態において、その被験者Ｗの乳房Ｎを撮影する装置であってもよく、少なくとも被験者Ｗの上半身が立位した状態でその被験者Ｗの乳房Ｎが撮影される装置であればよい。
【００２１】
放射線画像撮影装置１０は、図１に示すように、装置前方側に設けられた側面視略Ｃ字状（コの字状）の測定部１２と、測定部１２を装置後方側から支える基台部１４と、を備えている。
【００２２】
測定部１２は、立位状態にある被験者Ｗの乳房Ｎと当接する平面状の撮影面２０が形成された撮影台２２と、乳房Ｎを撮影台２２の撮影面２０との間で圧迫するための圧迫板２６と、撮影台２２と圧迫板２６とを保持する保持部２８と、を備えている。なお、圧迫板２６には、放射線を透過する材質が用いられる。
【００２３】
また、測定部１２は、管球などの放射線源３０（図４参照。）が設けられその放射線源３０から撮影面２０に向けて検査用の放射線を照射する放射線照射部２４と、保持部２８とは分離され放射線照射部２４を支持する支持部２９とを備えている。なお、保持部２８と支持部２９とが分離されずに、保持部２８と支持部２９とが一体化されていてもよい。また、保持部２８と支持部２９が一体化されたものを支持部と称してもよい。
【００２４】
また、保持部２８には、圧迫板２６によって圧迫されている乳房の圧迫値を検出するための圧迫力検出センサ５８が設けられており、圧迫力検出センサ５８は、圧迫板２６によって圧迫されている乳房の圧迫値を示す検出信号を出力する。
【００２５】
測定部１２には、基台部１４に回動可能に支えられている回動軸１６が設けられている。回動軸１６は、支持部２９及び保持部２８に対して固定されており、回動軸１６と支持部２９及び保持部２８とは一体に回動するようになっている。
【００２６】
なお、回動軸１６の回動力の伝達・非伝達の切替えは、種々の機械要素を用いることができる。
【００２７】
保持部２８は、撮影面２０と放射線照射部２４とが所定間隔離れるように撮影台２２と放射線照射部２４とを保持するとともに、圧迫板２６と撮影面２０との間隔が可変であるように圧迫板２６をスライド移動可能に保持している。
【００２８】
乳房Ｎが当接する撮影面２０は、放射線透過性や強度の観点から、例えば、カーボンで形成されている。撮影台２２の内部には、乳房Ｎ及び撮影面２０を通過した放射線が照射され、その放射線を検出する放射線検出器４２が配置されている。放射線検出器４２が検出した放射線が可視化されて放射線画像が生成される。
【００２９】
本実施形態に係る放射線画像撮影装置１０は、少なくとも、乳房ＮをＣＣ撮影（頭尾方向の撮影）とＭＬＯ撮影（内外斜位方向の撮影）との両者を行うことができる装置とされている。図２は、ＣＣ撮影時における放射線画像撮影装置１０の姿勢を示し、図３は、撮影装置のＭＬＯ撮影時における放射線画像撮影装置１０の姿勢を示している。図３に示すように、ＭＬＯ撮影は、放射線照射部２４を支持するとともに、保持部２８を介して撮影台２２を支持する支持部２９を傾けて撮影を行うものである。
【００３０】
図２に示すように、ＣＣ撮影時においては、撮影面２０が上方を向いた状態に保持部２８の姿勢が調整されると共に、放射線照射部２４が撮影面２０に対して上方に位置する状態に支持部２９の姿勢が調整される。これにより、立位状態の被験者Ｗの頭側から足側に向かって、放射線照射部２４から乳房Ｎへ放射線が照射されて、ＣＣ撮影（頭尾方向の撮影）がなされる。
【００３１】
また、撮影台２２の装置前方側の面には、ＣＣ撮影時において、被験者Ｗの乳房Ｎよりも下方の胸部分を当接させる胸壁面２５が形成されている。胸壁面２５は平面状とされている。
【００３２】
また、ＭＬＯ撮影時では、図３に示すように、一般的に、ＣＣ撮影時に比べて撮影台２２を４５°以上９０°未満回転させた状態に保持部２８の姿勢が調整され、撮影台２２の装置前方側の側壁角部２２Ａに被験者Ｗの腋窩を当てるようにポジショニングされる。これにより、被験者Ｗの胴体の軸中心側から外側へ向かって、放射線照射部２４から乳房Ｎへ放射線が照射されて、ＭＬＯ撮影（内外斜位方向の撮影）がなされる。
【００３３】
図４には、本実施の形態に係る放射線画像撮影システム５の詳細な構成を示すブロック図が示されている。
【００３４】
放射線画像撮影システム５は、上述した放射線画像撮影装置１０と、撮影した放射線画像の表示を行なう表示装置８０と、放射線画像撮影装置１０が位置している室内の壁面であって、放射線画像撮影装置１０に対して被験者Ｗが顔を横に向けた場合に視認可能な壁面に以下で詳細を説明する目標圧迫値に対する圧迫値の割合の表示を行なうためのプロジェクター８２と、を備えている。すなわち、プロジェクター８２によって当該割合が表示されることにより、当該割合が被験者Ｗに報知される。このプロジェクター８２は報知部の一例である。また、プロジェクター８２を、放射線画像撮影装置１０が備えるようにしてもよい。
【００３５】
放射線画像撮影装置１０は、放射線検出器４２と、曝射条件、姿勢情報などの各種の操作情報や各種の操作指示が入力される操作パネル４４と、装置全体の動作を制御する撮像装置制御部４６と、他の機器との間で各種情報を送信する送信Ｉ／Ｆ部４８と、圧迫力検出センサ５８とを備えている。なお、曝射条件には撮影時における乳房の圧迫の目標圧迫値が含まれる。また、操作パネル４４は指定手段の一例である。
【００３６】
撮像装置制御部４６は、ＣＰＵ（Central Processing Unit）、ＲＯＭ（Read Only Memory）及びＲＡＭ（Random Access Memory）を含むメモリ、ＨＤＤ（Hard Disk Drive）やフラッシュメモリ等から成る不揮発性の記憶部（記憶手段）を備えており、放射線照射部２４、放射線検出器４２、操作パネル４４、圧迫力検出センサ５８、及び送信Ｉ／Ｆ部４８と接続されている。
【００３７】
操作パネル４４で指定される曝射条件には、管電圧、管電流、照射時間等の情報、また上述したように目標圧迫値が含まれており、操作パネル４４で指定される姿勢情報には、撮影姿勢がＣＣ撮影かＭＬＯ撮影かを表す情報、及びＭＬＯ撮影を行う場合にはその撮影の際の姿勢角（撮影面２０の傾斜角度）が含まれている。なお、この曝射条件、姿勢情報などの各種の操作情報や各種の操作指示は、他の制御装置から得るようにしてもよい。
【００３８】
撮像装置制御部４６は、曝射条件に基づいて放射線照射部２４に設けられた放射線源３０から撮影面２０に対して放射線Ｘを照射させる。なお、本実施の形態の撮像装置制御部４６は、圧迫板２６によって徐々に乳房Ｎに対する圧迫の大きさを徐々に目標圧迫値まで大きくしていき、指定された目標圧迫値で乳房Ｎが圧迫された状態で放射線Ｘを照射することにより撮影を行う。また、撮影時には、詳細を以下で説明する割合報知制御処理を実行する。なお、当該割合報知制御処理のプログラムはＲＯＭの所定の領域に予め記憶されている。
【００３９】
放射線検出器４２は、画像情報を担持する放射線の照射を受けて画像情報を記録し、記録した画像情報を出力するものであり、例えば、放射線感応層を配置し、放射線をデジタルデータに変換して出力するＦＰＤ（Flat Panel Detector）として構成されている。放射線検出器４２は、放射線が照射されると、照射された放射線画像を示す画像情報を撮像装置制御部４６へ出力する。本実施の形態では、放射線検出器４２によって、乳房Ｎを透過した放射線の照射を受けて放射線画像を示す画像情報が得られる。
【００４０】
撮像装置制御部４６は、送信Ｉ／Ｆ部４８を介して表示装置８０及びプロジェクター８２に接続されている。
【００４１】
次に、本実施の形態に係る放射線画像撮影システム５の作用について説明する。
【００４２】
放射線画像の撮影を行なう場合、放射線画像撮影装置１０は、操作パネル４４に対して曝射条件や姿勢情報が入力されて指定される。
【００４３】
被験者Ｗは、放射線画像撮影装置１０の撮影面２０に乳房Ｎを当接させる。放射線画像撮影装置１０は、この状態で操作パネル４４に対して圧迫開始の操作指示が行なわれると、圧迫板（押圧板）２６が撮影面２０に向けて移動する。圧迫板２６が乳房Ｎに当接して更に圧迫（押圧）し、圧迫板２６の圧迫力（押圧力）が目標圧迫力（設定押圧力）に到達すると、撮像装置制御部４６の制御により圧迫板２６の移動が停止する。
【００４４】
本実施形態に係る放射線画像撮影装置１０は、この状態で操作パネル４４に対して曝射開始の操作指示が行なわれると、撮影面２０に対して放射線照射部２４の放射線源３０から放射線を照射する。放射線照射部２４から照射された放射線は、それぞれ乳房Ｎを透過した後に放射線検出器４２に到達する。
【００４５】
放射線検出器４２は、放射線が照射されると、照射された放射線画像を示す画像情報をそれぞれ撮像装置制御部４６へ出力する。
【００４６】
撮像装置制御部４６は、撮影された放射線画像を示す画像情報に対してシェーディング補正などの各種の処理を行ない、補正後の画像情報が示す放射線画像が表示されるように表示装置８０に当該補正後の画像情報を出力する。これにより、表示装置８０に放射線画像が表示される。
【００４７】
図５には本実施の形態に係る撮像装置制御部４６のＣＰＵにより実行される割合報知制御処理プログラムの割合報知制御処理の流れを示すフローチャートが示されている。なお、上述したように、本割合報知制御処理は、放射線画像の撮影時に実行される。
【００４８】
まず、ステップ１００では、上記目標圧迫値を導出する。より具体的には、操作パネル４４の操作によって指定された目標圧迫値を取得することにより、目標圧迫値を導出する。
【００４９】
次のステップ１０２では、タイマーをスタートさせ、時間の計測を開始する。
【００５０】
次のステップ１０４では、タイマーによって計測された時間（タイマーが示す時間）が所定時間Ｔ以上となったか否かを判定する。ステップ１０４でタイマーによって計測された時間（タイマーが示す時間）が所定時間Ｔ以上となったと判定された場合には、ステップ１０６へ進む。一方、ステップ１０４でタイマーによって計測された時間（タイマーが示す時間）が所定時間Ｔ以上となっていない（すなわち計測された時間が所定時間Ｔ未満である）と判定された場合には、再びステップ１０４で同一の判定を行う。これにより、所定時間Ｔ間隔で、以下で詳細を説明する割合が報知され、被験者Ｗは、これからどの程度まで圧迫力が大きくなるのか所定時間Ｔ間隔で認識することができる。
【００５１】
次のステップ１０６では、圧迫力検出センサ５８からの検出信号を取り込み、取り込んだ検出信号が示す圧迫値を、現在の乳房Ｎに対する圧迫値として検出する。
【００５２】
次のステップ１０８では、上記ステップ１００で導出された目標圧迫値に対する上記ステップ１０６で検出された圧迫値の割合（（上記ステップ１０６で検出された圧迫値）／（上記ステップ１００で導出された目標圧迫値））を演算する。
【００５３】
次のステップ１１０では、上記ステップ１０８で演算された割合を報知するように制御する。より具体的には、ステップ１１０では、放射線画像撮影装置１０が位置している室内の壁面であって、放射線画像撮影装置１０に対して被験者Ｗが顔を横に向けた場合に視認可能な壁面に上記ステップ１０８で演算された割合の表示を行なうようにプロジェクター８２を制御する。なお、表示する割合としては、図６（Ａ）に示すように割合を示すプログレスバー８４を表示してもよいし、図６（Ｂ）に示すように割合をパーセント表示してもよい。これにより、当該壁面に割合が表示され、被験者Ｗに割合が報知される。このように、目標圧迫値に対する圧迫力検出センサ５８によって検出された圧迫値の割合が報知部としてのプロジェクター８２により報知されるので、被験者Ｗは、目標圧迫値となる圧迫力に対する現在乳房Ｎに圧迫されている圧迫力の割合が分かり、必要以上に緊張しない。従って、撮影時に被験者をリラックスさせることができる。また、図６（Ａ）及び図６（Ｂ）は、上記ステップ１０８で演算された割合の値が０．４６の場合における表示の一例である。
【００５４】
ステップ１１２では、タイマーをリセットする。次のステップ１１４では、撮影が終了したか否かを判定する。ステップ１１４で、撮影が終了していないと判定された場合には、上記ステップ１０２へ戻り上記で説明した処理を行う。一方、ステップ１１４で撮影が終了したと判定された場合には、本割合報知制御処理を終了する。
【００５５】
以上、本実施の形態に係る放射線画像撮像装置１０について説明した。本実施の形態の放射線画像撮像装置１０によれば、撮影時に被験者をリラックスさせることができる。
【００５６】
なお、上記実施の形態では、マンモグラフィにより撮影された放射線画像に適用した場合について説明したが、本発明はこれに限定されるものではなく、他の放射線画像撮影装置に適用してもよい。
【００５７】
また、上記実施の形態では、放射線検出器４２によって放射線画像を示すデジタルの画像情報を直接得る場合について説明したが、本発明はこれに限定されるものではなく、例えば、イメージングプレートやＸ線フィルム等を内蔵したカセットなどに放射線を照射し、カセットに内蔵されたイメージングプレートやＸ線フィルムを読み取ることにより、デジタルの画像情報を得るようにしてもよい。
【００５８】
また、上記の実施の形態では、ステップ１００で、操作パネル４４の操作によって指定された目標圧迫値を取得することにより、目標圧迫値を導出する例について説明した。しかしながら、本発明はこれに限られない。例えば、図７（Ａ）に示すように記憶手段としてのメモリに予め被験者毎に過去の撮影で用いられた目標圧迫値を記憶しておき、ステップ１００で、予めメモリに記憶された被験者Ｗの過去の撮影で目標圧迫値として用いられた値を取得することにより、目標圧迫値を導出してもよい。
【００５９】
また、ステップ１１０では、音声を発生する音声発生手段を用いて、割合を音声で通知するよう音声発生手段を制御するようにしてもよい。
【００６０】
また、図７（Ｂ）に示すように、加える圧迫力をＣからＤに変化させた場合における乳房Ｎの厚みの変化の大きさＥから当該乳房Ｎにおける圧迫力と厚みとの関係を示す関数Ｆを推定し、推定された関数Ｆの接線Ｇの傾きＨが略０（すなわち、０≦Ｈ＜α、ただしαは微小な値）となるときの圧迫力の圧迫値を予測し、この予測された圧迫値（予測値）を目標圧迫値として導出してもよい。すなわち、ステップ１００で、圧迫板２６による乳房Ｎの圧迫値の変化に対する乳房Ｎの厚みの変化に基づいて予め定められる予測値を、目標圧迫値として導出してもよい。
【００６１】
その他、上記実施の形態で説明した放射線画像撮影システム５、放射線画像撮影装置１０、及び表示装置８０の構成は一例であり、本発明の主旨を逸脱しない範囲内において状況に応じて変更可能であることは言うまでもない。
【００６２】
また、上記実施の形態で説明した割合報知制御処理プログラムの割合報知制御処理の流れも一例であり、本発明の主旨を逸脱しない範囲内において状況に応じて変更可能であることは言うまでもない。
【符号の説明】
【００６３】
５  放射線画像撮影システム
１０  撮像装置
２４  放射線照射部
３０  放射線源
４２  放射線検出器
４６  撮像装置制御部
５８  圧迫力検出センサ
８０  表示装置
８２  プロジェクター
Ｎ    乳房
Ｗ    被験者
【図１】
2011206434.tif 000003
【図２】
2011206434.tif 000004
【図３】
2011206434.tif 000005
【図４】
2011206434.tif 000006
【図５】
2011206434.tif 000007
【図６】
2011206434.tif 000008
【図７】
2011206434.tif 000009